【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】    【請求項１】  ネットワークを介して接続されるサービス提供装置と複数の情報処理装置から構成される情報処理システムにおいて、  前記サービス提供装置は、    前記情報処理装置にマスコットが配置されているプライベートな仮想空間のサービスを提供する提供手段と、    前記情報処理装置の利用者が属するグループを記憶する記憶手段と、    前記利用者が利用する情報処理装置に対して提供されているプライベートな仮想空間であって、かつ、同一のグループに属する他の利用者専用のマスコットを含む前記仮想空間のサービスを、同一のグループに属する前記他の利用者が利用する情報処理装置に共有させる共有手段と、    同一のグループに属する複数の利用者がそれぞれ利用する前記情報処理装置の間でデータをリアルタイムに中継する中継手段とを含み、  前記情報処理装置は、    前記他の情報処理装置に対して提供されているプライベートな仮想空間に、自己のマスコットの参加を要求する要求手段と、    前記要求に対応して前記サービス提供装置から提供される前記仮想空間の表示を制御する表示制御手段と、    前記サービス提供装置を介して前記他の情報処理装置とデータをリアルタイムで通信する通信手段とを含む  ことを特徴とする情報処理システム。    【請求項２】  前記サービス提供装置の前記記憶手段は、前記利用者の識別情報、または前記情報処理装置の識別情報を用いて、前記利用者が属するグループを記憶する  ことを特徴とする請求項１に記載の情報処理システム。    【請求項３】  前記サービス提供装置の前記記憶手段は、前記利用者に提供される前記プライベートな仮想空間毎に、前記利用者が属するグループを記憶する  ことを特徴とする請求項１に記載の情報処理システム。    【請求項４】  前記データは、テキストデータである  ことを特徴とする請求項１に記載の情報処理システム。    【請求項５】  前記データは、画像データである  ことを特徴とする請求項１に記載の情報処理システム。    【請求項６】  前記情報処理装置は、  前記ネットワークを介して配信されるストリームデータを受信して再生する再生手段と、  前記再生手段によって前記ストリームデータの再生が開始されたことを、前記他の情報処理装置に通知する通知手段と  をさらに含むことを特徴とする請求項１に記載の情報処理システム。    【請求項７】  前記再生手段は、前記他の情報処理装置から前記ストリームデータの再生が開始されたことを通知された場合、前記ネットワークを介して配信される前記ストリームデータを受信して再生する  ことを特徴とする請求項６に記載の情報処理システム。    【請求項８】  前記情報処理装置は、  前記仮想空間に配置された電子機器に対応するアイコンを操作することにより、前記ネットワークを介して実在する電子機器を制御する制御手段を  さらに含むことを特徴とする請求項１に記載の情報処理システム。    【請求項９】  ネットワーク上の複数の情報処理装置に対してそれぞれ、マスコットが配置されているプライベートな仮想空間のサービスを提供するサービス提供装置において、  前記情報処理装置にマスコットが配置されているプライベートな仮想空間のサービスを提供する提供手段と、  前記情報処理装置の利用者が属��るグループを記憶する記憶手段と、  前記利用者が利用する情報処理装置に対して提供されているプライベートな仮想空間であって、かつ、同一のグループに属する他の利用者専用のマスコットを含む前記仮想空間のサービスを、同一のグループに属する前記他の利用者が利用する情報処理装置に共有させる共有手段と、  同一のグループに属する複数の利用者がそれぞれ利用する前記情報処理装置の間でデータをリアルタイムに中継する中継手段と  を含むことを特徴とするサービス提供装置。    【請求項１０】  前記記憶手段は、前記利用者の識別情報、または前記情報処理装置の識別情報を用いて、前記利用者が属するグループを記憶する  ことを特徴とする請求項９に記載のサービス提供装置。    【請求項１１】  前記記憶手段は、前記利用者に提供される前記プライベートな仮想空間毎に、前記利用者が属するグループを記憶する  ことを特徴とする請求項９に記載のサービス提供装置。    【請求項１２】  前記データは、テキストデータである  ことを特徴とする請求項９に記載のサービス提供装置。    【請求項１３】  前記データは、画像データである  ことを特徴とする請求項９に記載のサービス提供装置。    【請求項１４】  ネットワーク上の複数の情報処理装置に対してそれぞれ、マスコットが配置されているプライベートな仮想空間のサービスを提供するサービス提供装置のサービス提供方法において、  前記情報処理装置にマスコットが配置されているプライベートな仮想空間のサービスを提供する提供ステップと、  前記情報処理装置の利用者が属するグループを記憶する記憶ステップと、  前記利用者が利用する情報処理装置に対して提供されているプライベートな仮想空間であって、かつ、同一のグループに属する他の利用者専用のマスコットを含む前記仮想空間のサービスを、同一のグループに属する前記他の利用者が利用する情報処理装置に共有させる共有ステップと、  同一のグループに属する複数の利用者がそれぞれ利用する前記情報処理装置の間でデータをリアルタイムに中継する中継ステップと  を含むことを特徴とするサービス提供方法。    【請求項１５】  ネットワーク上の複数の情報処理装置に対してそれぞれ、マスコットが配置されているプライベートな仮想空間のサービスを提供するためのプログラムであって、  前記情報処理装置にマスコットが配置されているプライベートな仮想空間のサービスを提供する提供ステップと、  前記情報処理装置の利用者が属するグループを記憶する記憶ステップと、  前記利用者が利用する情報処理装置に対して提供されているプライベートな仮想空間であって、かつ、同一のグループに属する他の利用者専用のマスコットを含む前記仮想空間のサービスを、同一のグループに属する前記他の利用者が利用する情報処理装置に共有させる共有ステップと、  同一のグループに属する複数の利用者がそれぞれ利用する前記情報処理装置の間でデータをリアルタイムに中継する中継ステップと  を含むことを特徴とするコンピュータが読み取り可能なプログラムが記録されている記録媒体。    【請求項１６】  ネットワーク上の複数の情報処理装置に対してそれぞれ、マスコットが配置されているプライベートな仮想空間のサービスを提供するコンピュー���に、  前記情報処理装置にマスコットが配置されているプライベートな仮想空間のサービスを提供する提供ステップと、  前記情報処理装置の利用者が属するグループを記憶する記憶ステップと、  前記利用者が利用する情報処理装置に対して提供されているプライベートな仮想空間であって、かつ、同一のグループに属する他の利用者専用のマスコットを含む前記仮想空間のサービスを、同一のグループに属する前記他の利用者が利用する情報処理装置に共有させる共有ステップと、  同一のグループに属する複数の利用者がそれぞれ利用する前記情報処理装置の間でデータをリアルタイムに中継する中継ステップと  を含む処理を実行させることを特徴とするプログラム。    【請求項１７】  前記記憶ステップの処理は、前記利用者の識別情報、または前記情報処理装置の識別情報を用いて、前記利用者が属するグループを記憶する  ことを特徴とする請求項１６に記載のプログラム。    【請求項１８】  前記記憶ステップの処理は、前記利用者に提供される前記プライベートな仮想空間毎に、前記利用者が属するグループを記憶する  ことを特徴とする請求項１６に記載のプログラム。    【請求項１９】  前記データは、テキストデータである  ことを特徴とする請求項１６に記載のプログラム。    【請求項２０】  前記データは、画像データである  ことを特徴とする請求項１２６に記載のプログラム。    【請求項２１】  マスコットが配置されているプライベートな仮想空間のサービスを提供するネットワーク上のサービス提供装置にアクセスし、前記サービスの提供を受ける情報処理装置において、  他の情報処理装置に対して提供されているプライベートな仮想空間に、自己のマスコットの参加を要求する要求手段と、  前記要求に対応して前記サービス提供装置から提供された前記仮想空間の表示を制御する表示制御手段と、  前記サービス提供装置を介して前記他の情報処理装置とデータをリアルタイムで通信する通信手段と  を含むことを特徴とする情報処理装置。    【請求項２２】  前記ネットワークを介して配信されるストリームデータを受信して再生する再生手段と、  前記再生手段によって前記ストリームデータの再生が開始されたことを、前記他の情報処理装置に通知する通知手段と  をさらに含むことを特徴とする請求項２１に記載の情報処理装置。    【請求項２３】  前記再生手段は、前記他の情報処理装置から前記ストリームデータの再生が開始されたことを通知された場合、前記ネットワークを介して配信される前記ストリームデータを受信して再生する  ことを特徴とする請求項２２に記載の情報処理装置。    【請求項２４】  前記仮想空間に配置された電子機器に対応するアイコンを操作することにより、前記ネットワークを介して実在する電子機器を制御する制御手段を  さらに含むことを特徴とする請求項２１に記載の情報処理装置。    【請求項２５】  マスコットが配置されているプライベートな仮想空間のサービスを提供するネットワーク上のサービス提供装置にアクセスし、前記サービスの提供を受ける情報処理装置の情報処理方法において、  他の情報処理装置に対して提供されているプライベートな仮想空間に、自己のマスコットの参加を要求する要求ステップと、  前記要求に対応��て前記サービス提供装置から提供される前記仮想空間の表示を制御する表示制御ステップと、  前記サービス提供装置を介して前記他の情報処理装置とデータをリアルタイムで通信する通信ステップと  を含むことを特徴とする情報処理方法。    【請求項２６】  マスコットが配置されているプライベートな仮想空間のサービスを提供するネットワーク上のサービス提供装置にアクセスし、前記サービスの提供を受けるためのプログラムであって、  他の情報処理装置に対して提供されているプライベートな仮想空間に、自己のマスコットの参加を要求する要求ステップと、  前記要求に対応して前記サービス提供装置から提供される前記仮想空間の表示を制御する表示制御ステップと、  前記サービス提供装置を介して前記他の情報処理装置とデータをリアルタイムで通信する通信ステップと  を含むことを特徴とするコンピュータが読み取り可能なプログラムが記録されている記録媒体。    【請求項２７】  マスコットが配置されているプライベートな仮想空間のサービスを提供するネットワーク上のサービス提供装置にアクセスし、前記サービスの提供を受けるコンピュータに、  他の情報処理装置に対して提供されているプライベートな仮想空間に、自己のマスコットの参加を要求する要求ステップと、  前記要求に対応して前記サービス提供装置から提供される前記仮想空間の表示を制御する表示制御ステップと、  前記サービス提供装置を介して前記他の情報処理装置とデータをリアルタイムで通信する通信ステップと  を含む処理を実行させることを特徴とするプログラム。    【請求項２８】  前記データは、テキストデータである  ことを特徴とする請求項２７に記載のプログラム。    【請求項２９】  前記データは、画像データである  ことを特徴とする請求項２７に記載のプログラム。    【請求項３０】  前記ネットワークを介して配信されるストリームデータを受信して再生する再生ステップと、  前記再生ステップの処理で前記ストリームデータの再生が開始されたことを、前記他の情報処理装置に通知する通知ステップと  をさらに含むことを特徴とする請求項２７に記載のプログラム。    【請求項３１】  前記再生ステップの処理は、前記他の情報処理装置から前記ストリームデータの再生が開始されたことを通知された場合、前記ネットワークを介して配信される前記ストリームデータを受信して再生する  ことを特徴とする請求項３０に記載のプログラム。    【請求項３２】  前記仮想空間に配置された電子機器に対応するアイコンを操作することにより、前記ネットワークを介して実在する電子機器を制御する制御ステップを  さらに含むことを特徴とする請求項２７に記載のプログラム。【手続補正２】
【補正対象書類名】明細書
【補正対象項目名】００１８
【補正方法】変更
【補正の内容】
【００１８】  本発明のサービス提供装置は、情報処理装置にマスコットが配置されているプライベートな仮想空間のサービスを提供する提供手段と、情報処理装置の利用者が属するグループを記憶する記憶手段と、利用者が利用する情報処理装置に対して提供されているプライベートな仮想空間であって、かつ、同一のグループに属する他の利用者専用のマスコットを含む仮想空間のサービスを、同一のグループに属する他の利用者が利用する情報処理装置に共有させる共有手段と、同一のグループに属する複数の利用者がそれぞれ利用する情報処理装置の間でデータをリアルタイムに中継する中継手段とを含むことを特徴とする。  前記記憶手段は、利用者の識別情報、または情報処理装置の識別情報を用いて、利用者が属するグループを記憶するようにすることができる。  前記記憶手段は、利用者に提供されるプライベートな仮想空間毎に、利用者が属するグループを記憶するようにすることができる。  前記データは、テキストデータとすることができる。  前記データは、画像データとすることができる。
【手続補正３】
【補正対象書類名】明細書
【補正対象項目名】００２６
【補正方法】変更
【補正の内容】
【００２６】  本発明の情報処理装置は、他の情報処理装置に対して提供されているプライベートな仮想空間に、自己のマスコットの参加を要求する要求手段と、要求に対応してサービス提供装置から提供された仮想空間の表示を制御する表示制御手段と、サービス提供装置を介して他の情報処理装置とデータをリアルタイムで通信する通信手段とを含むことを特徴とする。  前記ネットワークを介して配信されるストリームデータを受信して再生する再生手段と、再生手段によってストリームデータの再生が開始されたことを、他の情報処理装置に通知する通知手段とをさらに含むようにすることができる。  前記再生手段は、他の情報処理装置からストリームデータの再生が開始されたことを通知された場合、ネットワークを介して配信されるストリームデータを受信して再生するようにすることができる。  前記仮想空間に配置された電子機器に対応するアイコンを操作することにより、ネットワークを介して実在する電子機器を制御する制御手段をさらに含むようにすることができる。
【手続補正４】
【補正対象書類名】明細書
【補正対象項目名】００６３
【補正方法】変更
【補正の内容】
【００６３】  また、入出力インタフェース６５には、磁気ディスク７４、光ディスク７５、光磁気ディスク７６、および半導体メモリ７７などの記録媒体に対してデータを読み書きするドライブ７３、並びに、テレビジョン放送等のＡＶ信号をエンコードし、またデコードするビデオエンコーダ／デコーダ７１が接続されている。ビデオエンコーダ／デコーダ７１には、テレビジョン放送を受信するチューナ７２が内蔵されている。
【手続補正５】
【補正対象書類名】明細書
【補正対象項目名】００６４
【補正方法】変更
【補正の内容】
【００６４】  CPU６１は、磁気ディスク７４乃至半導体メモリ７７から読み出されて記憶部６９に記憶され、記憶部６９からRAM６３にロードされた仮想宅ビューアプログラム８１、ハードディスク(HDD)ビデオレコーダ８２、オーディオデータ配信サービスプログラム８３、および写真データ配信サービスプログラム８４をそれぞれ実行することにより、図４に示す４種類の機能、すなわち、仮想宅ビューア９１、HDDビデオレコーダ９２、オーディオデータ配信サービス９３、および写真データ配信サービス９４を実現する。また、上述したように、上記各プログラムは各種記憶媒体を用いて配布されてもよいし、インタネット５等のネットワークを介して配布されてもよい。
【手続補正６】
【補正対象書類名】明細書
【補正対象項目名】００９２
【補正方法】変更
【補正の内容】
【００９２】  ステップＳ３１において、仮想宅ビューア５１は、基地局４およびインタネット５を介して、仮想宅ＤＢサーバ２１に、ユーザＡの仮想宅のレイアウト情報を要求する。この要求に対応し、ステップＳ４１において、仮想宅ＤＢサーバ２１は、自己が記憶しているユーザＡの仮想宅の最新のレイアウト情報を、インタネット５および基地局４を介して、仮想宅ビューア５１に供給する。
【手続補正７】
【補正対象書類名】明細書
【補正対象項目名】０１１６
【補正方法】変更
【補正の内容】
【０１１６】  次に、仮想宅ビューア５１を終了するときのログアウト処理について、図１４のフローチャートを参照して説明する。このログアウト処理は、ユーザにより、仮想宅ビューアウィンドウ１０１の「終了」ボタン１０２が押下された場合に開始される。または、図１５に示すように、メインパネル１０５に表示されている仮想部屋のドアアイコン１２２が選択されることによってコントロールパネル１０６に表示される各種のボタン（図７５を参照して詳述する）のうち、「ログアウト」ボタン１３７が押下された場合に開始される。
【手続補正８】
【補正対象書類名】明細書
【補正対象項目名】０１６５
【補正方法】変更
【補正の内容】
【０１６５】  その後、仮想宅ビューア９１のコントロールパネル１０６の「一時停止」ボタン１９５または「停止」ボタン１９６がユーザによって押下された場合、ステップＳ２４２において、仮想宅ビューア９１は、データバス１４を介してＴＶ１３に、HDDビデオレコーダ９２からの録画済番組のストリームデータの取得を停止するように指示する制御信号を出力する。この制御信号に対応し、ステップＳ２５３において、ＴＶ１３は、データバス１４を介してHDDビデオレコーダ９２に、ストリームデータの供給停止を要求する。
【手続補正９】
【補正対象書類名】明細書
【補正対象項目名】０１６６
【補正方法】変更
【補正の内容】
【０１６６】  この要求に対応し、ステップＳ２６３において、HDDビデオレコーダ９２は、録画済番組の再生を停止して、ＴＶ１３に対するストリームデータの供給を停止し、ストリームデータの供給停止をＴＶ１３に通知する。ステップＳ２５４において、ＴＶ１３は、HDDビデオレコーダ９２がストリームデータの供給停止を了解したことを、データバス１４を介して仮想宅ビューア９１に通知する。以上で、当該処理の説明を終了する。
【手続補正１０】
【補正対象書類名】明細書
【補正対象項目名】０１７２
【補正方法】変更
【補正の内容】
【０１７２】  次に、仮想部屋のメモ帳アイコン２３１（図４７）を用いる簡易メモ機能について説明する。図４７は、メインパネル１０５の仮想部屋において、テーブルアイコン１２８の上にあるメモ帳アイコン２３１が選択された状態を示している。メモ帳アイコン２３１が選択されていることに対応して、コントロールパネル１０６には、メモ帳アイコン２３１のプロパティとして、メモ帳の前回開かれていたページ（いまの場合、３／５００ページ）の先頭部分「４／１３野球の練習…」が表示されている。
【手続補正１１】
【補正対象書類名】明細書
【補正対象項目名】０１８７
【補正方法】変更
【補正の内容】
【０１８７】  例えば、図５４に示すように、検索条件として「はなこ」が入力欄２７１に入力され、「検索」ボタン２７２が押下された場合、検索条件「はなこ」が、基地局４およびインタネット５を介してユーザ端末間通信中継サーバ２３に通知され、ユーザ端末間通信中継サーバ２３によって全てのユーザを対象として検索が実行され、その検索結果が戻されて、メインパネル１０５に検索結果として、検索条件「はなこ」を含むユーザ名の一覧が表示される。
【手続補正１２】
【補正対象書類名】明細書
【補正対象項目名】０１８８
【補正方法】変更
【補正の内容】
【０１８８】  例えば、図５５に示すように、メインパネル１０５に検索結果として表示されたユーザ名「はなこ」がユーザによって選択された場合、コントロールパネル１０６には、選択されたユーザ名「はなこ」のプロパティ（「はなこ」自身によって予め公開用に登録されている文面等）、選択されたユーザ名のユーザを、ユーザグループに追加登録するとき押下される「メンバ登録」ボタン２８１、およびメインパネル１０５の表示を、メンバ一覧に戻すとき押下される「閉じる」ボタン２８２が表示される。
【手続補正１３】
【補正対象書類名】明細書
【補正対象項目名】０１８９
【補正方法】変更
【補正の内容】
【０１８９】  メインパネル１０５に表示された検索結果において、ユーザ名「はなこ」が選択されている状態で、「メンバ登録」ボタン２８１が押下された場合、ユーザＡ自身が属するユーザグループに「はなこ」を仮登録する要求が、基地局４およびインタネット５を介してユーザ端末間通信中継サーバ２３に通知される。ユーザ端末間通信中継サーバ２３によって「はなこ」の仮登録が行われた後、図５６に示すように、メインパネル１０５の表示がメンバ一覧となり、既存のメンバの名前に続いて、ユーザ名「はなこ（仮登録）」が追加表示される。なお、この処理の詳細は、図６０を参照して後述する。
【手続補正１４】
【補正対象書類名】明細書
【補正対象項目名】０１９２
【補正方法】変更
【補正の内容】
【０１９２】  次に、ユーザＡの操作によって、ユーザＡが属するユーザグループに「はなこ」（以下、断りがあるまで、「はなこ」をユーザＢと記述する）が仮登録されたときの処理について説明するが、その前に、ユーザＢの仮想部屋について、図５９を参照して説明する。
【手続補正１５】
【補正対象書類名】明細書
【補正対象項目名】０１９３
【補正方法】変更
【補正の内容】
【０１９３】  図５９は、ユーザＢが操作するＰＣ３の画面に表示される仮想宅ビューアのウィンドウ３００を示している。このウィンドウも、メインパネル３０１、コントロールパネル３０２、およびコミュニケーション３０３に区分されており、メインパネル３０１には、ユーザＢの仮想部屋が表示されている。ユーザＢの仮想部屋には、ユーザＡの仮想部屋と同様に、マスコット３２１が存在し、ドアアイコン３２２、ポストアイコン３２３、電話アイコン３２４、ＰＣアイコン３２５などが配置されている。
【手続補正１６】
【補正対象書類名】明細書
【補正対象項目名】０２０５
【補正方法】変更
【補正の内容】
【０２０５】  この要求に対応し、ステップＳ３１１において、仮想宅ＤＢサーバ２１は、ユーザＢの現況情報として、ログアウト中（通話不可）、ログインしており仮想部屋に在宅中（通話可）、ログインしており仮想部屋に在宅中であるが他のユーザと通話中（通話不可）、ログインしており他のユーザの仮想部屋に外出中（通話不可）などのいずれかを、インタネット５および基地局４を介して仮想宅ビューアＡに通知する。以上で、現況情報取得処理の説明を終了する。
【手続補正１７】
【補正対象書類名】明細書
【補正対象項目名】０２４０
【補正方法】変更
【補正の内容】
【０２４０】  このイベント情報の通知に対応し、ステップＳ４５２において、仮想宅ビューアＢは、インタネット５を介してユーザ端末間通信中継サーバ２３に、自己が主催するカンファレンス（Ｂ）（（Ｂ）はカンファレンスを特定するための名称である（図面においては、Conf.（Ｂ）と記載する））の生成を要求する。ステップＳ４６１において、ユーザ端末間通信中継サーバ２３は、カンファレンス（Ｂ）を生成し、その旨を、インタネット５を介して仮想宅ビューアＢに通知する。
【手続補正１８】
【補正対象書類名】明細書
【補正対象項目名】０２５５
【補正方法】変更
【補正の内容】
【０２５５】  ここで、ユーザＢが「応答」ボタン３４１を押下した場合、コミュニケーションパネル３０３には、チャットのテキストを入力するためのテキスト入力エリア３４２、テキスト入力エリア３４２に入力したテキストを送信するときに押下される「SEND」ボタン３４３、および、チャットのテキストを表示するためのテキスト表示エリア３４４が設けられる。
【手続補正１９】
【補正対象書類名】明細書
【補正対象項目名】０２６１
【補正方法】変更
【補正の内容】
【０２６１】  ここで、ユーザＡが、ボタン３８１を押下した場合、図８９に示すように、仮想宅ビューアＡの画面のメインパネル１０５には、マスコット１２１とマスコット３２１が存在するユーザＢの仮想部屋が表示される。コミュニケーションパネル１０７には、引き続き、チャット用のテキスト入力エリア３５１、「SEND」ボタン３５２、およびテキスト表示エリア３５３が設けられている。同様に、仮想宅ビューアＢの画面にも、図９０に示すように、メインパネル３０１には、マスコット１２１が追加されたユーザＢの仮想部屋が表示される。コミュニケーションパネル３０３には、引き続き、チャット用のテキスト入力エリア３４２、「SEND」ボタン３４３、およびテキスト表示エリア３４４が設けられている。
【手続補正２０】
【補正対象書類名】明細書
【補正対象項目名】０３１２
【補正方法】変更
【補正の内容】
【０３１２】  また、コントロールパネル１０６には、選択された縮小画像をメインパネル１０５に拡大表示させるとき押下される「拡大表示」ボタン４９１、選択された縮小画像の画像データを、入室している他のユーザに共有させるとき押下される「全員に表示」ボタン４９２、メインパネル１０５の表示を、拡大表示された画像から画像一覧に戻すとき押下される「一覧表示」ボタン４９３、選択された縮小画像を画像一覧から削除するとき押下される「削除」ボタン４９４、およびメインパネル１０５の表示を、画像一覧から仮想部屋に戻すとき押下される「閉じる」ボタン４９５が表示される。
【手続補正２１】
【補正対象書類名】明細書
【補正対象項目名】図面の簡単な説明
【補正方法】変更
【補正の内容】
【図面の簡単な説明】    【図１】  本発明を適用した仮想空間遠隔操作システムの構成例を示している。    【図２】  図１の携帯型ユーザ端末の構成例を示すブロック図である。    【図３】  図１のＰＣの構成例示すブロック図である。    【図４】  図１のＰＣの機能ブロックを示す図である。    【図５】  仮想宅ビューアウィンドウの表示例を示す図である。    【図６】  仮想部屋に配置されたアイコンについて説明するための図である。    【図７】  ログイン処理を説明するフローチャートである。    【図８】  ログイン時の仮想宅ビューアウィンドウの表示例を示す図である。    【図９】  レイアウト情報取得処理を説明するフローチャートである。    【図１０】  仮想部屋の表示例を示す図である。    【図１１】  イベント情報取得処理を説明するフローチャートである。    【図１２】  宅内ネットワーク情報取得処理を説明するフローチャートである。    【図１３】  メンバ情報取得処理を説明するフローチャートである。    【図１４】  ログアウト処理を説明するフローチャートである。    【図１５】  ドアアイコンを選択したときの表示例を示す図である。    【図１６】  アイコンの移動について説明するための図である。    【図１７】  アイコンの移動について説明するための図である。    【図１８】  アイコンの向きの変更について説明するための図である。    【図１９】  アイコンを他のアイコンに重畳して配置する操作について説明するための図である。    【図２０】  アイコンを他のアイコンに重畳して配置する操作と、他のアイコンの陰に配置する操作の違いついて説明するための図である。    【図２１】  クローゼットにアイコンを収納する操作について説明するための図である。    【図２２】  クローゼットアイコンが選択されたときの表示例を示す図である。    【図２３】  アイテム一覧の表示例を示す図である。    【図２４】  アイテム一覧のうち、１つのアイテムが選択されたときの表示例を示す図である。    【図２５】  クローゼットから仮想部屋にアイコンを戻す操作について説明するための図である。    【図２６】  クローゼットから仮想部屋にアイコンを戻す操作について説明するための図である。    【図２７】  ＰＣアイコンが選択されたときの表示例を示す図である。    【図２８】  ＰＣアイコンから、ビデオレコーダアイコン、オーディオプレーヤアイコン、およびフォトアルバムアイコンが分離されたときの表示例を示す図である。    【図２９】  ビデオレコーダアイコンが分離されたときの表示例を示す図である。    【図３０】  テレビ番組表の表示例を示す図である。    【図３１】  EPG情報取得処理を説明するフローチャートである。    【図３２】  テレビ番組表の番組が選択されたときの表示例を示す図である。    【図３３】  録画操作を説明するための図である。    【図３４】  ビデオレコーダアイコンが選択されているときの表示例を示す図である。    【図３５】  録画済番組一覧の表示例を示す図である。    【図３６】  コンテンツ一覧情報取得処理を説明するフローチャートである。    【図３７】  録画済番組のうちの１つを選択したときの表示例を示す図である。    【図３８】  録画済番組を再生したときの出力先を選択する操作を説明するための図である。    【図３９】  録画済番組の映像をメインパネルに表示させたときの表示例を示す図である。    【図４０】  録画済番組の映像をメインパネルに表示させるときの処理を説明するフローチャートである。    【図４１】  録画済番組を再生した映像を実在するＴＶに表示させたときのメインパネルの表示例を示す図である。    【図４２】  録画済番組を再生した映像を実在するＴＶに表示させたときのメインパネルの他の表示例を示す図である。    【図４３】  録画済番組の映像を実在するＴＶに表示させるときの処理を説明するフローチャートである。    【図４４】  ＴＶアイコンが選択されたときの表示例を示す図である。    【図４５】  実在するＴＶの制御操作を説明するための図である。    【図４６】  実在するＴＶの制御操作を説明するための図である。    【図４７】  メモ帳アイコンが選択されたときの表示例を示す図である。    【図４８】  図４７の「新規」ボタンが押下されたときの表示例を示す図である。    【図４９】  メモ帳のページにテキストを入力したときの表示例を示す図である。    【図５０】  メモ用紙アイコンが選択されたときの表示例を示す図である。    【図５１】  電話アイコンが選択されたときの表示例を示す図である。    【図５２】  図５１の「メンバ一覧」ボタンが押下されたときの表示例を示す図である。    【図５３】  図５２の「ユーザ検索」ボタンが押下されたときの表示例を示す図である。    【図５４】  ユーザ検索の操作を説明するための図である。    【図５５】  「はなこ」をメンバに仮登録する操作を説明するための図である。    【図５６】  「はなこ」が仮登録されたときの表示例を示す図である。    【図５７】  「ひでお」をメンバから削除する操作を説明するための図である。    【図５８】  「ひでお」をメンバから削除した後の表示例を示す図である。    【図５９】  仮登録された「はなこ」の仮想部屋の表示例を示す図である。    【図６０】  仮登録されたときの処理を説明するフローチャートである。    【図６１】  電話アイコンが選択されたときの表示例を示す図である。    【図６２】  「ゆみこ」に電話をかける操作を説明するための図である。    【図６３】  現況情報取得処理を説明するフローチャートである。    【図６４】  電話チャット処理を説明するフローチャートである。    【図６５】  電話がかかってきたときの表示例を示す図である。    【図６６】  通話中の表示例を示す図である。    【図６７】  電話チャットの操作を説明するための図である。    【図６８】  電話チャットを終了するときの操作を説明するための図である。    【図６９】  電話チャット終了処理を説明するフローチャートである。    【図７０】  留守番電話記録処理を説明するフローチャートである。    【図７１】  電話の呼び出し先が留守番電話であったときの表示例を示す図である。    【図７２】  電話アイコンが選択されたときの表示例を示す図である。    【図７３】  留守電メッセージ一覧の表示例を示す図である。    【図７４】  留守電メッセージを確認するときの操作を説明するための図である。    【図７５】  ドアアイコンが選択されたときの表示例を示す図である。    【図７６】  「ゆみこの家」に訪問する操作を説明するための図である。    【図７７��  カンファレンス生成処理を説明するフローチャートである。    【図７８】  「ゆみこの家」に訪問したときの表示例を示す図である。    【図７９】  カンファレンスの同期情報として、ユーザＢの操作に対応する情報を共有する処理を説明するフローチャートである。    【図８０】  インタフォンを呼び出す操作を説明する図である。    【図８１】    カンファレンスの同期情報として、ユーザＡの操作に対応する情報を共有する処理を説明するフローチャートである。    【図８２】  「チャイム」ボタンが押下されたことに対応する仮想部屋の表示例を示す図である。    【図８３】  インタフォンチャット処理を説明するフローチャートである。    【図８４】  インタフォンチャット時の表示例を示す図である。    【図８５】  インタフォンチャットを終了する操作を説明するための図である。    【図８６】  インタフォンチャット時の表示例を示す図である。    【図８７】  ドアを開錠する操作を説明するための図である。    【図８８】  入室する操作を説明するための図である。    【図８９】  マスコットＡがユーザＢの仮想部屋に入室したときの表示例を示す図である。    【図９０】  マスコットＡがユーザＢの仮想部屋に入室したときの表示例を示す図である。    【図９１】  開錠から入室までの処理を説明するフローチャートである。    【図９２】  マスコット同士が直接的にアイテムを渡す方法を説明するための図である。    【図９３】  マスコット同士が直接的にアイテムを渡す方法を説明するための図である。    【図９４】  マスコット同士が直接的にアイテムを渡す方法を説明するための図である。    【図９５】  直接的な所有権処理を説明するフローチャートである。    【図９６】  直接的に渡したアイテムを確認する操作を説明するための図である。    【図９７】  直接的に渡したアイテムを仮想部屋の配置する操作を説明するための図である。    【図９８】  ポストを介して間接的にアイテムを渡す方法を説明するための図である。    【図９９】  ポストを介して間接的にアイテムを渡す方法を説明するための図である。    【図１００】  ポストを介して間接的に渡されたアイテムを確認する操作を説明するための図である。    【図１０１】  ポストを介して間接的に渡されたアイテムを仮想部屋の配置する操作を説明するための図である。    【図１０２】  間接的な所有権処理を説明するフローチャートである。    【図１０３】  インタネットラジオ共有処理の操作を説明するための図である。    【図１０４】  インタネットラジオ共有処理の操作を説明するための図である。    【図１０５】  インタネットラジオ共有処理を説明するフローチャートである。    【図１０６】  画像共有処理の操作を説明するための図である。    【図１０７】  画像共有処理時の表示例を示す図である。    【図１０８】  画像共有処理の操作を説明するための図である。    【図１０９】  画像共有処理の操作を説明するための図である。    【図１１０】  画像共有処理を説明するフローチャートである。    【図１１１】  共有された画像の表示例を示す図である。    【図１１２】  画像共有終了処理を説明するフローチャートである。【手続補正２２】
【補正対象書類名】図面
【補正対象項目名】図１１
【補正方法】変更
【補正の内容】
【図１１】
2004135051.tif 000001
【手続補正２３】
【補正対象書類名】図面
【補正対象項目名】図１５
【補正方法】変更
【補正の内容】
【図１５】
2004135051.tif 000002
【手続補正２４】
【補正対象書類名】図面
【補正対象項目名】図３２
【補正方法】変更
【補正の内容】
【図３２】
2004135051.tif 000003
【手続補正２５】
【補正対象書類名】図面
【補正対象項目名】図３７
【補正方法】変更
【補正の内容】
【図３７】
2004135051.tif 000004
【手続補正２６】
【補正対象書類名】図面
【補正対象項目名】図３８
【補正方法】変更
【補正の内容】
【図３８】
2004135051.tif 000005
【手続補正２７】
【補正対象書類名】図面
【補正対象項目名】図３９
【補正方法】変更
【補正の内容】
【図３９】
2004135051.tif 000006
【手続補正２８】
【補正対象書類名】図面
【補正対象項目名】図４１
【補正方法】変更
【補正の内容】
【図４１】
2004135051.tif 000007
【手続補正２９】
【補正対象書類名】図面
【補正対象項目名】図４２
【補正方法】変更
【補正の内容】
【図４２】
2004135051.tif 000008
【手続補正３０】
【補正対象書類名】図面
【補正対象項目名】図４３
【補正方法】変更
【補正の内容】
【図４３】
2004135051.tif 000009
【手続補正３１】
【補正対象書類名】図面
【補正対象項目名】図４６
【補正方法】変更
【補正の内容】
【図４６】
2004135051.tif 000010
【手続補正３２】
【補正対象書類名】図面
【補正対象項目名】図５９
【補正方法】変更
【補正の内容】
【図５９】
2004135051.tif 000011
【手続補正３３】
【補正対象書類名】図面
【補正対象項目名】図６２
【補正方法】変更
【補正の内容】
【図６２】
2004135051.tif 000012
【手続補正３４】
【補正対象書類名】図面
【補正対象項目名】図７９
【補正方法】変更
【補正の内容】
【図７９】
2004135051.tif 000013
【手続補正３５】
【補正対象書類名】図面
【補正対象項目名】図９１
【補正方法】変更
【補正の内容】
【図９１】
2004135051.tif 000014
【手続補正３６】
【補正対象書類名】図面
【補正対象項目名】図９４
【補正方法】変更
【補正の内容】
【図９４】
2004135051.tif 000015
【手続補正３７】
【補正対象書類名】図面
【補正対象項目名】図９５
【補正方法】変更
【補正の内容】
【図９５】
2004135051.tif 000016
【手続補正３８】
【補正対象書類名】図面
【補正対象項目名】図１１２
【補正方法】変更
【補正の内容】
【図１１２】
2004135051.tif 000017